【手続補正書】
【提出日】平成23年3月11日(2011.3.11)
【手続補正１】
【補正対象書類名】特許請求の範囲
【補正対象項目名】全文
【補正方法】変更
【補正の内容】
【特許請求の範囲】
【請求項１】
コンピュータに実装された方法であって、
（ａ）複数のユーザのそれぞれについて、ユーザのオンライン・ユーザインタフェースデバイスを指定するオンライン・ユーザインタフェースデバイス識別情報と、ユーザのセットトップボックスを指定するセットトップボックス識別情報とを、ネットワークトラフィックをユーザのオンライン・ユーザインタフェースデバイスとセットトップボックスの両方にルーティングする共通のＩＰアドレスに基づいて、電子的に関連付ける段階と、
（ｂ）前記複数のユーザのうちの第１のユーザのオンライン・ユーザインタフェースデバイスからの、第１のオンラインアクセスＩＰアドレスを介したオンライン行動から得られるユーザプロフィール情報を使用して、前記第１のユーザのオンライン・ユーザインタフェースデバイスのオンライン・ユーザインタフェースデバイス識別情報に関連付けられたセットトップボックス識別情報によって指定されるセットトップボックスに対して、該セットトップボックスを介して選択的に表示するために、第１のテレビ広告が配信されるように自動的に設定する段階と、を含むことを特徴とする方法。
【請求項２】
前記第１のオンラインアクセスＩPアドレスと前記共通のＩＰアドレスは、同一であることを特徴とする請求項１に記載の方法。
【請求項３】
前記第１のオンラインアクセスＩＰアドレスと前記共通のＩＰアドレスは、異なることを特徴とする請求項１に記載の方法。
【請求項４】
前記オンライン・ユーザインタフェースデバイス識別情報と、前記セットトップボックス識別情報は、前記第１のユーザのオンライン・ユーザインタフェースデバイスによる第２のオンラインアクセスＩＰアドレスを介したオンラインアクセスに基づいて関連付けられることを特徴とする請求項３に記載の方法。
【請求項５】
前記オンライン・ユーザインタフェースデバイス識別情報は、クッキーを含むことを特徴とする請求項１に記載の方法。
【請求項６】
前記セットトップボックス識別情報は、装置の製造番号を含むことを特徴とする請求項１に記載の方法。
【請求項７】
前記セットトップボックス識別情報は、装置のＭＡＣアドレスまたはＭＡＣアドレスの一部を含むことを特徴とする請求項１に記載の方法。
【請求項８】
前記オンライン・ユーザインタフェースデバイス識別情報は、タグを含むことを特徴とする請求項１に記載の方法。
【請求項９】
前記オンライン・ユーザインタフェースデバイス識別情報は、前記第１のオンラインアクセスＩＰアドレスを含むことを特徴とする請求項１に記載の方法。
【請求項１０】
前記共通のＩＰアドレスは、前記第１のオンラインアクセスＩＰアドレスと、オンライン行動の発生の前後に一意的に識別されたセットトップボックスによって使用されたセットトップボックスＩＰアドレスとを照合することによって決定されることを特徴とする請求項１に記載の方法。
【請求項１１】
前記第１のオンラインアクセスＩＰアドレスから実行されたオンライン行動から、前記ユーザプロフィール情報を自動的に取得する段階をさらに含むことを特徴とする請求項１に記載の方法。
【請求項１２】
前記ユーザプロフィール情報に基づいて前記第１のテレビ広告を自動的に選択する段階をさらに含むことを特徴とする請求項１に記載の方法。
【請求項１３】
前記（ｂ）に記載された前記ユーザプロフィール情報、及び、前記オンライン・ユーザインタフェースデバイス識別情報と前記セットトップボックス識別情報との間の関連付け情報のいずれにも、個人識別情報は含まれないことを特徴とする請求項１に記載の方法。
【請求項１４】
（i）前記複数のユーザのそれぞれに対して、対応するセットトップボックスを介してテレビジョンサービスを提供するテレビジョンサービスプロバイダとは独立に運営される事業者によって実行され、
（ii）前記（ｂ）に記載された段階で、前記テレビジョンサービスプロバイダに対してユーザのオンライン行動に関するプロフィール情報を送信することなく、前記第１のテレビ広告が配信されるように設定することを特徴とする請求項１に記載の方法。
【請求項１５】
個人を識別可能な情報をテレビジョンサービスプロバイダから受信することなく、前記（ａ）に記載された段階で、前記オンライン・ユーザインタフェースデバイス識別情報と前記セットトップボックス識別情報とを関連付け、かつ、前記（ｂ）に記載された段階で、前記第１のテレビ広告が配信されるように設定することを特徴とする請求項１に記載の方法。
【請求項１６】
（i）前記複数のユーザのうちの第２のユーザのオンライン・ユーザインタフェースデバイスからの、第２のオンラインアクセスＩＰアドレスを介したオンライン行動から得られるユーザプロフィール情報を使用して、前記第２のユーザのオンライン・ユーザインタフェースデバイスのオンライン・ユーザインタフェースデバイス識別情報に関連付けられたセットトップボックス識別情報によって指定されるセットトップボックスに対して、該セットトップボックスを介して選択的に表示するために、第２のテレビ広告が配信されるように自動的に設定する段階をさらに含んでおり、
（ii）いずれのテレビ広告がいずれのセットトップボックスに配信されるか、または、いずれのテレビ広告がいずれのセットトップボックスを介して表示されるかは、前記第１のユーザと前記第２のユーザの、オンライン・ユーザインタフェースデバイスからのオンライン行動の相違に基づいて決定されることを特徴とする請求項１に記載の方法。
【請求項１７】
前記オンライン行動は、検索の要求を含むことを特徴とする請求項１に記載の方法。
【請求項１８】
前記第１のテレビ広告は、前記第１のオンラインアクセスＩＰアドレスからのオンライン行動から得られた前記ユーザプロフィール情報に少なくとも部分的に基づいて、テレビ広告の複数の候補から選択されることを特徴とする請求項１に記載の方法。
【請求項１９】
前記第１のテレビ広告は、前記ユーザプロフィール情報に含まれる人口統計学的属性または行動属性に少なくも部分的に基づいて選択されることを特徴とする請求項１８に記載の方法。
【請求項２０】
前記第１のテレビ広告は、セットトップボックスによって前記第１のテレビ広告が表示されるときに視聴されていたテレビのコンテンツに少なくとも部分的に基づいて、テレビ広告の複数の候補から選択されることを特徴とする請求項１に記載の方法。
【請求項２１】
前記共通のＩＰアドレスは、オンラインアクセスのためにユーザによって使用され、かつ、ユーザのセットトップボックスに接続されたモデムまたはルータに動的に割り当てられたＩＰアドレスであることを特徴とする請求項１に記載の方法。
【請求項２２】
前記（ａ）に記載された段階は、前記共通のＩＰアドレスを保存するステップを含み、さらに、ユーザの前記共通のＩＰアドレスを更新するステップを含むことを特徴とする請求項１に記載の方法。
【請求項２３】
（i）前記（ｂ）に記載された前記ユーザプロフィール情報は、特定のオンライン行動に対応する前記オンラインアクセスＩＰアドレス、及び、前記オンライン行動のそれぞれに対応する日時のリストを含んでおり、
（ii）前記リストに含まれる前記特定のオンライン行動に対応する前記オンラインアクセスＩＰアドレス及び対応する前記オンライン行動の日時のいずれかが、前記複数のユーザのうちの１ユーザに割り当てられた前記共通のＩＰアドレス及び対応する日時と一致する場合にのみ、前記テレビ広告が前記１ユーザのセットトップボックスに配信されるように設定する段階と、を含むことを特徴とする請求項１に記載の方法。
【請求項２４】
前記（ｂ）に記載された段階は、前記第１のテレビ広告をプロフィールプロバイダ、オンラインサイト、または、中央広告サーバから取得するための指示を、セットトップボックスに送信するステップを含むことを特徴する請求項１に記載の方法。
【請求項２５】
ユーザのセットトップボックスから発信される広告の要求に対する応答としてのみ、前記第１のテレビ広告が配信されるように設定されることを特徴とする請求項１に記載の方法。
【請求項２６】
それぞれのユーザの前記オンラインアクセスＩＰアドレスは、それぞれのユーザのオンラインアクセスのために使用されるモデムまたはルータに関連付けられたＩＰアドレスであることを特徴とする請求項１に記載の方法。
【請求項２７】
広告が配信されることの結果として代価を受け取る段階をさらに含むことを特徴とする請求項１に記載の方法。
【請求項２８】
前記（ｂ）に記載された前記ユーザプロフィール情報を使用する結果として、プロフィールプロバイダに代価を支払う段階をさらに含むことを特徴とする請求項１に記載の方法。
【請求項２９】
コンピュータに実装された方法であって、
（ａ）複数のユーザのそれぞれについて、ユーザのオンライン・ユーザインタフェースデバイスを指定するオンライン・ユーザインタフェースデバイス識別情報と、ユーザのセットトップボックスを指定するセットトップボックス識別情報とを、共通のＩＰアドレスに基づいて電子的に関連付けるサーバを含むコンピュータシステムに対して、電子的なユーザプロフィール情報を自動的かつ電子的に配信する段階を含み、
（ｂ）ネットワークトラフィックは、前記共通のＩＰアドレスを介して、ユーザのオンライン・ユーザインタフェースデバイスとセットトップボックスの両方にルーティングされ、
（ｃ）前記複数のユーザのうちの第１のユーザの、配信されるユーザプロフィール情報は、（i）前記第１のユーザのオンライン・ユーザインタフェースデバイスからの、第１のオンラインアクセスＩＰアドレスを介した前記第１のユーザのオンライン行動から得られ、かつ、（ii）前記第１のオンラインアクセスＩＰアドレス及び前記オンライン行動の日時の識別情報を含んでおり、
（ｄ）前記ユーザプロフィール情報の配信の結果として、前記サーバが前記第１のユーザのオンライン・ユーザインタフェースデバイスの前記オンライン・ユーザインタフェースデバイス識別情報と関連付けた前記セットトップボックス識別情報によって指定されるセットトップボックスに対して、該セットトップボックスを介して表示するために、第１のテレビ広告を配信することが可能となる、ことを特徴とする方法。
【請求項３０】
前記オンライン行動から得られる電子的な前記ユーザプロフィール情報を配信する段階は、前記第１のユーザが前記第１のオンラインアクセスＩＰアドレスを介してオンラインサイトにアクセスしている間に、前記第１のユーザのオンライン・ユーザインタフェースデバイスをリダイレクトするステップを含むことを特徴とする請求項２９に記載の方法。
【請求項３１】
前記自動的かつ電子的な配信は、ユーザのオンライン・ユーザインタフェースデバイスを前記コンピュータシステムにリダイレクトすることを含むことを特徴とする請求項２９に記載の方法。
【請求項３２】
前記ユーザプロフィール情報に基づいて前記第１のテレビ広告を自動的に選択する段階をさらに含んでおり、
（i）前記オンライン行動から得られる電子的な前記ユーザプロフィール情報を配信する段階は、前記第１のユーザのオンラインアクセスＩＰアドレスを配信するステップを含み、（ii）テレビ広告の選択は、前記コンピュータシステムに配信されないユーザプロフィール情報に基づいて行われること、を特徴とする請求項２９に記載の方法。
【請求項３３】
前記第１のテレビ広告の配信の結果として自動的に代価を受け取る段階をさらに含むことを特徴とする請求項２９に記載の方法。
【請求項３４】
前記代価は、テレビ広告をインターネットサイトの視聴者に対して表示するように契約した広告主から支払われることを特徴とする請求項３３に記載の方法。
【請求項３５】
前記第１のユーザのオンライン・ユーザインタフェースデバイスの前記オンライン・ユーザインタフェースデバイス識別情報と関連付けられた前記セットトップボックス識別情報によって指定されるセットトップボックスを介して、選択されたテレビ広告を表示することの結果として代価が発生する度に、前記代価を受け取ることを特徴とする請求項３３に記載の方法。
【請求項３６】
プログラムされたハードウェアからなるコンピュータシステムを使用して実装される方法であって、
（ａ）第１のユーザのオンライン・ユーザインタフェースデバイス識別情報によって指定されるオンライン・ユーザインタフェースデバイスからの、前記第１のユーザによるオンライン行動から得られるオンラインのプロフィール情報を使用して選択された、前記第１のユーザのセットトップボックスを介して表示するための、特定の第１のテレビ広告の指定情報を含み、かつ、前記第１のユーザのオンライン・ユーザインタフェースデバイス識別情報によって前記第１のユーザを識別するとともにオンライン行動に関するプロフィール情報を含まない電子データを、前記コンピュータシステムで受信する段階と、
（ｂ）前記電子データの受信に応じて、前記コンピュータシステムによって、（i）複数のセットトップボックス識別情報を複数のオンライン・ユーザインタフェースデバイス識別情報に関連付ける保存された情報に基づいて、前記第１のユーザのセットトップボックス識別情報を自動的かつ電子的に判別し、（ii）前記第１のユーザのオンライン・ユーザインタフェースデバイス識別情報に関連付けられたセットトップボックス識別情報によって指定される前記第１のユーザのセットトップボックスを介して、前記第１のテレビ広告を表示することを可能とする段階と、を含むことを特徴とする方法。
【請求項３７】
（ｃ）第２のユーザのオンライン・ユーザインタフェースデバイス識別情報によって指定されるオンライン・ユーザインタフェースデバイスからの、前記第２のユーザによるオンライン行動から得られるオンラインのプロフィール情報を使用して選択された、前記第２のユーザのセットトップボックスを介して表示するための、特定の第２のテレビ広告の指定情報を含み、かつ、前記第２のユーザのオンライン・ユーザインタフェースデバイス識別情報によって前記第２のユーザを識別するとともにオンライン行動に関するプロフィール情報を含まない電子データを、前記コンピュータシステムで受信する段階と、
（ｄ）前記コンピュータシステムを使用して、前記電子データの受信に応じて、（i）複数のセットトップボックス識別情報を複数のオンライン・ユーザインタフェースデバイス識別情報に関連付ける保存された情報に基づいて、前記第２のユーザのセットトップボックス識別情報を自動的かつ電子的に判別し、（ii）前記第２のユーザのオンライン・ユーザインタフェースデバイス識別情報に関連付けられたセットトップボックス識別情報によって指定される前記第２のユーザのセットトップボックスを介して、前記第２のテレビ広告を表示することを可能とする段階と、をさらに含み、
（ｅ）いずれのテレビ広告がいずれのセットトップボックスに配信されるかは、前記第１のユーザと前記第２のユーザの、それぞれのオンライン・ユーザインタフェースデバイスからのオンライン行動の相違に基づいて決定されることを特徴とする請求項３６に記載の方法。
【請求項３８】
前記第１のテレビ広告を前記コンピュータシステムで電子的に受信する段階をさらに含むことを特徴とする請求項３６に記載の方法。
【請求項３９】
前記第１のユーザのセットトップボックスを使用して、前記第１のテレビ広告を表示する段階をさらに含むことを特徴とする請求項３６に記載の方法。
【請求項４０】
前記オンライン・ユーザインタフェースデバイス識別情報には、第１のオンラインアクセスＩＰアドレス、及び、前記第１のオンラインアクセスＩＰアドレスからのオンライン行動の日時を含む受信された前記電子データが含まれることを特徴とする請求項３６に記載の方法。
【請求項４１】
前記第１のユーザを含む複数のユーザに対してテレビジョンサービスを提供する段階をさらに含み、前記テレビジョンサービスは、前記複数のユーザのそれぞれに対して、それぞれのユーザのセットトップボックス識別情報によって指定されるセットトップボックスを介して提供されることを特徴とする請求項３６に記載の方法。
【請求項４２】
前記複数のユーザに対してオンラインアクセスを提供する段階をさらに含み、前記オンラインアクセスは、前記複数のユーザのそれぞれに対して、それぞれのユーザのオンライン・ユーザインタフェースデバイス識別情報によって指定されるオンライン・ユーザインタフェースデバイスを介して提供されることを特徴とする請求項４１に記載の方法。
【請求項４３】
前記保存された情報は、少なくとも前記第１ユーザについて、ネットワークトラフィックを前記第１のユーザのオンライン・ユーザインタフェースデバイスとセットトップボックスの両方にルーティングする、対応する共通のＩＰアドレスを含むことを特徴とする請求項３６に記載の方法。
【請求項４４】
前記プロフィール情報の少なくとも一部は、前記共通のＩＰアドレスとは異なるオンラインアクセスＩＰアドレスからの前記第１のユーザのオンライン行動から得られ、前記オンライン・ユーザインタフェースデバイス識別情報は、前記第１のオンライン・ユーザインタフェースデバイスに保存されたクッキーまたはタグを含むことを特徴とする請求項４３に記載の方法。
【請求項４５】
前記（ｂ）に記載された段階は、前記（ａ）に記載された段階で受信される前記電子データの送信者に対して、前記第１のユーザに関して個人を識別可能な情報を送信することなく実行されることを特徴とする請求項３６に記載の方法。
【請求項４６】
プログラムされたハードウェアからなるコンピュータシステムを使用して実装される方法であって、
（ａ）複数のユーザのうちの第１のユーザの第１のオンライン・ユーザインタフェースデバイス識別情報を含み、かつ、前記第１のオンライン・ユーザインタフェースデバイス識別情報によって指定される第１のオンライン・ユーザインタフェースデバイスからの、前記第１のユーザのオンライン行動から得られるオンライン行動のプロフィール情報との関連性が欠如した電子データを、プロフィールプロバイダから前記コンピュータシステムで受信する段階と、
（ｂ）前記電子データの受信に応じて、前記第１のオンライン・ユーザインタフェースデバイス識別情報に電子的に関連付けられた第１のセットトップボックス識別情報を含み、かつ、前記第１のユーザに関して個人を識別可能な情報を含まない電子データを、前記コンピュータシステムにより前記プロフィールプロバイダに自動的に送信する段階と、を含むことを特徴とする方法。
【請求項４７】
前記第１のオンライン・ユーザインタフェースデバイス識別情報には、第１のオンラインアクセスＩＰアドレス、及び、前記第１のオンラインアクセスＩＰアドレスからのオンライン行動の日時を含む受信された前記電子データが含まれることを特徴とする請求項４６に記載の方法。
【請求項４８】
複数のユーザに対してテレビジョンサービスを提供する段階をさらに含み、前記テレビジョンサービスは、前記複数のユーザのそれぞれに対して、それぞれのユーザのセットトップボックス識別情報によって指定されるセットトップボックスを介して提供されることを特徴とする請求項４６に記載の方法。
【請求項４９】
前記複数のユーザに対してオンラインアクセスを提供する段階をさらに含み、前記オンラインアクセスは、前記複数のユーザのそれぞれに対して、それぞれのユーザのオンライン・ユーザインタフェースデバイス識別情報によって指定されるオンライン・ユーザインタフェースデバイスを介して提供されることを特徴とする請求項４８に記載の方法。
【請求項５０】
前記複数のユーザのそれぞれに対して、オンライン・ユーザインタフェースデバイス識別情報とセットトップボックス識別情報とを自動的かつ電子的に関連付ける段階をさらに含むことを特徴とする請求項４９に記載の方法。
【請求項５１】
前記複数のユーザのそれぞれに対して、オンライン・ユーザインタフェースデバイス識別情報とセットトップボックス識別情報との電子的な関連付けは、ネットワークトラフィックをそれぞれのユーザのオンライン・ユーザインタフェースデバイスとセットトップボックスの両方にルーティングする共通のＩＰアドレスに基づいて行われることを特徴とする請求項４６に記載の方法。
【請求項５２】
前記情報の少なくとも一部は、前記共通のＩＰとは異なるオンラインアクセスＩＰアドレスからの前記第１のユーザのオンライン行動から得られ、前記第１のオンライン・ユーザインタフェースデバイス識別情報は、前記第１のユーザのオンライン・ユーザインタフェースデバイスに保存されたクッキーまたはタグを含むことを特徴とする請求項５１に記載の方法。
【請求項５３】
前記複数のユーザのそれぞれに対して、オンライン・ユーザインタフェースデバイス識別情報とセットトップボックス識別情報との電子的関連付けは、それぞれのユーザに関して個人を識別可能な情報に基づいて行われることを特徴とする請求項４６に記載の方法。
【請求項５４】
プログラムされたハードウェアからなるコンピュータシステムを使用して実装される方法であって、第１のオンライン・ユーザインタフェースデバイス識別情報によって指定される第１のオンライン・ユーザインタフェースデバイスを介した第１のユーザのオンライン行動から自動的に得られるオンラインのプロフィール情報を使用し、第１のセットトップボックス識別情報によって指定される第１のセットトップボックスを介して選択的に表示されるように第１のテレビ広告を配信することを可能とするために使用されるデータを、前記コンピュータシステムにより自動的かつ電子的にサードパーティに送信し、前記第１のセットトップボックス識別情報は、前記第１のユーザに対してテレビジョンサービスを提供するサードパーティのテレビジョンサービスプロバイダに前記第１のユーザに関するオンライン行動のプロフィール情報を送信することも、前記テレビジョンサービスプロバイダから前記第１のユーザに関する個人を識別可能な情報を受信することもなく、前記テレビジョンサービスプロバイダによって前記第１のオンライン・ユーザインタフェースデバイス識別情報と電子的に関連付けられることを特徴とする方法。
【請求項５５】
前記データは、前記第１のテレビ広告の指定情報を含むことを特徴とする請求項５４に記載の方法。
【請求項５６】
前記オンラインのプロフィール情報を使用して、前記コンピュータシステムにより、複数のテレビ広告の候補から前記第１のテレビ広告を自動的に選択することをさらに含むことを特徴とする請求項５５に記載の方法
【請求項５７】
前記データを電子的に送信することは、前記第１のオンライン・ユーザインタフェースデバイスを前記サードパーティの制御下にあるサーバにリダイレクトすることを含むことを特徴とする請求項５５に記載の方法。
【請求項５８】
前記サードパーティは、前記テレビジョンサービスプロバイダであることを特徴とする請求項５５に記載の方法。
【請求項５９】
前記オンライン行動は、検索の要求を含むことを特徴とする請求項５５に記載の方法。
【請求項６０】
第２のオンライン・ユーザインタフェースデバイス識別情報によって指定される第２のオンライン・ユーザインタフェースデバイスを介した第２のユーザのオンライン行動から自動的に得られるオンラインのプロフィール情報を使用し、第２のセットトップボックス識別情報によって指定される第２のセットトップボックスを介して選択的に表示されるように第２のテレビ広告を配信することを可能とするために使用される第２のデータを、前記コンピュータシステムにより自動的かつ電子的に前記サードパーティに送信することをさらに含んでおり、前記第２のセットトップボックス識別情報は、前記第２のユーザに関するオンライン行動のプロフィール情報を前記テレビジョンサービスプロバイダに送信することなく、かつ、前記テレビジョンサービスプロバイダから前記第２のユーザに関する個人を識別可能な情報を受信することなく、前記テレビジョンサービスプロバイダによって、前記第２のオンライン・ユーザインタフェースデバイス識別情報と電子的に関連付けられ、いずれのテレビ広告がいずれのセットトップボックスに配信されるかは、前記第１のユーザと前記第２のユーザの、それぞれ前記第１のオンライン・ユーザインタフェースデバイスと前記第２のオンライン・ユーザインタフェースデバイスを使用したオンライン行動の相違に基づいて決定されることを特徴とする請求項５５に記載の方法。
【請求項６１】
前記サードパーティは、前記テレビジョンサービスプロバイダであることを特徴とする請求項５４に記載の方法。
【請求項６２】
前記サードパーティは、前記テレビジョンサービスプロバイダと通信する仲介パーティであることを特徴とする請求項５４に記載の方法。
【請求項６３】
第２のオンライン・ユーザインタフェースデバイス識別情報によって指定される第２のオンライン・ユーザインタフェースデバイスを介した第２のユーザのオンライン行動から自動的に得られるオンラインのプロフィール情報を使用し、第２のセットトップボックス識別情報によって指定される第２のセットトップボックスを介して選択的に表示されるように第２のテレビ広告を配信することを可能とするために使用される第２のデータを、前記コンピュータシステムにより自動的かつ電子的に前記サードパーティに送信することをさらに含んでおり、前記第２のセットトップボックス識別情報は、前記テレビジョンサービスプロバイダに前記第２のユーザに関するオンライン行動のプロフィール情報を送信することも、前記テレビジョンサービスプロバイダから前記第２のユーザに関する個人を識別可能な情報を受信することもなく、前記テレビジョンサービスプロバイダによって前記第２のオンライン・ユーザインタフェースデバイス識別情報と電子的に関連付けられ、いずれのテレビ広告がいずれのセットトップボックスに配信されるかは、前記第１のユーザと前記第２のユーザの、それぞれ前記第１のオンライン・ユーザインタフェースデバイスと前記第２のオンライン・ユーザインタフェースデバイスを使用したオンライン行動の相違に基づいて決定されるることを特徴とする請求項５４に記載の方法。
【請求項６４】
前記第１のオンライン・ユーザインタフェースデバイス識別情報と前記第１のセットトップボックス識別情報との電子的な関連付けは、前記第１のユーザのオンラインアクセスとセットトップボックスの両方に対してネットワークトラフィックがルーティングされる共通のＩＰアドレスに少なくとも部分的に基づくことを特徴とする請求項５４に記載の方法。
【請求項６５】
前記テレビジョンサービスプロバイダは、前記第１のユーザに対して前記第１のオンライン・ユーザインタフェースデバイスを使用したオンラインアクセスも提供することを特徴とする請求項５４に記載の方法。
【請求項６６】
前記テレビジョンサービスプロバイダに、前記第１のオンライン・ユーザインタフェースデバイス識別情報を前記第１のセットトップボックス識別情報に電子的に関連付ける要求が送信されるようにすることをさらに含むことを特徴とする請求項６５に記載の方法。
【請求項６７】
前記オンライン行動は、検索の要求を含むことを特徴とする請求項５４に記載の方法。
【請求項６８】
前記第１のオンライン・ユーザインタフェースデバイス識別情報は、前記第１のオンライン・ユーザインタフェースデバイスに保存されたクッキーまたはタグであることを特徴とする請求項５４に記載の方法。
【請求項６９】
プログラムされたハードウェアからなるコンピュータシステムを使用して実装される方法であって、
（ａ）第１のオンライン・ユーザインタフェースデバイス識別情報の電子的な指定情報を前記コンピュータシステムで受信する段階と、
（ｂ）第１のユーザの、前記第１のオンライン・ユーザインタフェースデバイス識別情報によって指定される第１のオンライン・ユーザインタフェースデバイスを介したオンライン行動から自動的に得られる電子的な指定情報を、前記コンピュータシステムで受信する段階と、
（ｃ）前記第１のユーザに対してテレビジョンサービスを提供するサードパーティのテレビジョンサービスプロバイダに送信される情報または前記テレビジョンサービスプロバイダから受信した情報を使用し、前記テレビジョンサービスプロバイダに前記第１のユーザに関するオンライン行動のプロフィール情報を送信することも、前記テレビジョンサービスプロバイダから前記第１のユーザに関する個人を識別可能な情報を受信することもなく、前記テレビジョンサービスプロバイダによって前記第１のオンライン・ユーザインタフェースデバイス識別情報に電子的に関連付けられた第１のセットトップボックス識別情報によって指定される第１のセットトップボックスに対して、該第１のセットトップボックスを介して選択的に表示するために、第１のテレビ広告が配信されることを前記コンピュータシステムにより自動的に可能とする段階と、を含むことを特徴とする方法。
【請求項７０】
前記（ｂ）に記載された前記電子的な指定情報は、前記オンライン行動から自動的に得られるオンラインのプロフィール情報を含むことを特徴とする請求項６９に記載の方法。
【請求項７１】
前記（ｂ）に記載された前記電子的な指定情報は、前記第１のテレビ広告の指定情報を含むことを特徴とする請求項６９に記載の方法。
【請求項７２】
前記（ｃ）に記載された前記情報は、前記第１のセットトップボックス識別情報と前記第１のオンライン・ユーザインタフェースデバイス識別情報との間の関連付けの指定情報を含み、前記第１のテレビ広告が配信されることを自動的に可能とする段階は、前記第１のテレビ広告の指定情報を前記第１のセットトップボックスに自動的かつ電子的に送信するステップを含むことを特徴とする請求項６９に記載の方法。
【請求項７３】
前記オンラインのプロフィール情報を使用して、複数のテレビ広告の候補から前記第１のテレビ広告を前記コンピュータシステムにより自動的に選択する段階をさらに含むことを特徴とする請求項６９に記載の方法。
【請求項７４】
前記（ｂ）に記載された前記電子的な指定情報は、前記第１のオンライン・ユーザインタフェースデバイスのリダイレクトを介して前記コンピュータシステムで受信されることを特徴とする請求項６９に記載の方法。
【請求項７５】
（ｄ）前記（ｃ）に記載された前記情報は、前記テレビジョンサービスプロバイダから前記コンピュータシステムで受信された、前記第１のユーザを含む複数のユーザのためのオンライン・ユーザインタフェースデバイスの電子的な指定情報及び電子的に関連付けられたセットトップボックス識別情報を含み、
（ｅ）前記第１のセットトップボックスからのテレビ広告の要求を前記コンピュータシステムで受信する段階をさらに含んでおり、
（ｆ）前記（ｂ）に記載された前記電子的な指定情報の受信に対する応答として、前記（ｃ）に記載された段階を実行することをさらに含む、ことを特徴とする請求項６９に記載の方法。
【請求項７６】
前記（ｃ）に記載された前記情報は、前記テレビジョンサービスプロバイダに送信される前記第１のテレビ広告の指定情報を含むことを特徴とする請求項６９に記載の方法。
【請求項７７】
前記第１のテレビ広告が配信されることを自動的に可能とする段階は、前記（ｃ）に記載された前記情報及び前記第１のオンライン・ユーザインタフェースデバイス識別情報を前記テレビジョンプロバイダに自動的に送信するステップを含むことを特徴とする請求項７６に記載の方法。
【請求項７８】
（ｄ）第２のオンライン・ユーザインタフェースデバイス識別情報の電子的な指定情報を前記コンピュータシステムで受信する段階と、
（ｅ）第２のユーザの、前記第２のオンライン・ユーザインタフェースデバイス識別情報によって指定される第２のオンライン・ユーザインタフェースデバイスを介したオンライン行動から自動的に得られる電子的な指定情報を、前記コンピュータシステムで受信する段階と、
（ｆ）前記第２のユーザに対してテレビジョンサービスを提供するサードパーティのテレビジョンサービスプロバイダに送信される情報または前記テレビジョンサービスプロバイダから受信した情報を使用し、前記テレビジョンサービスプロバイダに前記第２のユーザに関するオンライン行動のプロフィール情報を送信することも、前記テレビジョンサービスプロバイダから前記第２のユーザに関する個人を識別可能な情報を受信することもなく、前記テレビジョンサービスプロバイダによって前記第２のオンライン・ユーザインタフェースデバイス識別情報に電子的に関連付けられた第２のセットトップボックス識別情報によって指定される第２のセットトップボックスに対して、該第２のセットトップボックスを介して選択的に表示するために、第２のテレビ広告が配信されることを前記コンピュータシステムにより自動的に可能とする段階と、をさらに含み、
（ｇ）いずれのテレビ広告がいずれのセットトップボックスに配信されるかは、前記第１のユーザと前記第２のユーザの、それぞれ前記第１のオンライン・ユーザインタフェースデバイス及び前記第２のユーザ・インタフェースデバイスを使用したオンライン行動の相違に基づいて決定されることを特徴とする請求項６９に記載の方法。
【請求項７９】
前記テレビジョンサービスプロバイダに、前記第１のオンライン・ユーザインタフェースデバイス識別情報を前記第１のセットトップボックス識別情報に電子的に関連付ける要求が送信されるようにする段階をさらに含むことを特徴とする請求項６９に記載の方法。
【請求項８０】
前記第１のオンライン・ユーザインタフェースデバイス識別情報と前記第１のセットトップボックス識別情報との電子的な関連付けは、前記第１のユーザのオンラインアクセスとセットトップボックスの両方に対してネットワークトラフィックがルーティングされる共通のＩＰアドレスに少なくとも部分的に基づくことを特徴とする請求項６９に記載の方法。
【請求項８１】
前記（ｂ）に記載された前記指定情報の少なくとも一部は、前記共通のＩＰアドレスとは異なるオンラインアクセスＩＰアドレスからの前記第１のユーザのオンライン行動から得られ、前記オンライン・ユーザインタフェースデバイス識別情報は、前記第１のオンライン・ユーザインタフェースデバイスに保存されたクッキーまたはタグを含むことを特徴とする請求項８０に記載の方法。
【請求項８２】
前記第１のセットトップボックスから発信される広告の要求に対する応答としてのみ、前記第１のセットボックスに対して前記第１のテレビ広告が配信されることが自動的に可能とされることを特徴とする請求項６９に記載の方法。
【請求項８３】
前記テレビジョンサービスプロバイダは、前記第１のユーザに対して前記第１のオンライン・ユーザインタフェースデバイスを使用したオンラインアクセスも提供することを特徴とする請求項６９に記載の方法。
【請求項８４】
前記第１のオンライン・ユーザインタフェースデバイス識別情報は、前記第１のオンライン・ユーザインタフェースデバイスに保存されたクッキーまたはタグであることを特徴とする請求項６９に記載の方法。